(57)【要約】【課題】カウルサイドトリムやスカッフプレートの取付け対象部材に多少の組み付け誤差が生じている場合であっても、カウルサイドトリムとスカッフプレートとの合わせ部を見栄え良く、かつ適切な状態に設定する。【解決手段】カウルサイドトリム１とスカッフプレート２との合わせ部Ｃの構造であって、スカッフプレート２の先端縁２０ａは、カウルサイドトリム１の後端縁１０ａよりも高い高さとされているとともに、後端縁１０ａにオーバラップしないように後端縁１０ａに対して車両後方に離間して接近した配置に設定され、スカッフプレート２の先端縁２０ａ近傍部分には、この先端縁２０ａ近傍部分と車室床面４との間に形成される隙間を塞ぐように下向きに突出するリブ２６が突設されている。【選択図】  図１
2014118037.tif 000002
【特許請求の範囲】
【請求項１】
フロントフェンダエプロンの車室内側に取り付けられるカウルサイドトリムと、車両の乗降口の下縁部に位置するようにして車室床面上に取り付けられるスカッフプレートとの合わせ部の構造であって、
前記スカッフプレートの車両前方側の先端縁は、前記カウルサイドトリムの車両後方側下部の後端縁よりも高い高さに設定されているとともに、前記カウルサイドトリムの後端縁にオーバラップしないように前記カウルサイドトリムの後端縁に対して車両後方に離間して接近した配置に設定されており、
前記スカッフプレートの先端縁近傍部分には、この先端縁近傍部分と車室床面との間に形成される隙間を塞ぐように下向きに突出するリブが突設されていることを特徴とする、カウルサイドトリムとスカッフプレートとの合わせ部の構造。
【発明の詳細な説明】
【技術分野】
【０００１】
本発明は、自動車のカウルサイドトリムとスカッフプレートとの合わせ部（継ぎ目部分）の構造に関する。
【背景技術】
【０００２】
たとえば、バン型車は、フロントフェンダと車両の乗降口とが接近している。フロントフェンダエプロンの車室内側には、カウルサイドトリムが取付けられる一方、車両の乗降口の下縁部には、スカッフプレートが設けられるのが通例である。このような構造においては、カウルサイドトリムとスカッフプレートとの合わせ部を体裁のよい状態に仕上げることが望まれる。
そこで、従来においては、特許文献１に記載の構造がある。
同文献に記載の構造においては、カウルサイドトリムの車両後方側下部の後端部に、断面コ字状の係合用の溝部を形成し、かつスカッフプレートの車両前方側の先端部を、前記係合用の溝部に進入させてカウルサイドトリムの後端部に係合させるようにしている。このような構成によれば、カウルサイドトリムとスカッフプレートとの合わせ部を隙間のない状態に連結し、この合わせ部の見栄えをよくすることが可能である。
【０００３】
しかしながら、前記従来の手段においては、次のような不具合を生じる場合があった。
【０００４】
すなわち、カウルサイドトリムは、車体のフロントフェンダエプロンに取り付けられるのに対し、スカッフプレートは、これとは異なり、車体のフロントフロアパネルなどに取り付けられる。したがって、フロントフェンダエプロンやフロントフロアパネルに組み付け誤差があり、かつこの誤差がやや大きい場合には、カウルサイドトリムとスカッフプレートとの間に位置ずれを生じる結果、カウルサイドトリムの係合用の溝部にスカッフプレートの先端部を適切に進入させることができない場合が生じ得る。このような事態を生じたのでは組立作業に苦慮することとなり、車両の生産性を高める上で好ましいものではない。
【先行技術文献】
【特許文献】
【０００５】
【特許文献１】特開平９−１１８１５号公報
【発明の概要】
【発明が解決しようとする課題】
【０００６】
本発明は、前記したような事情のもとで考え出されたものであり、カウルサイドトリムやスカッフプレートのそれぞれの取り付け対象となる車体構成部材に多少の組み付け誤差が生じているような場合であっても、カウルサイドトリムとスカッフプレートとの合わせ部を見栄え良く、かつ適切な状態に設定することが可能なカウルサイドトリムとスカッフプレートとの合わせ部の構造を提供することを、その課題としている。
【課題を解決するための手段】
【０００７】
上記の課題を解決するため、本発明では、次の技術的手段を講じている。
【０００８】
本発明により提供されるカウルサイドトリムとスカッフプレートとの合わせ部の構造は、フロントフェンダエプロンの車室内側に取り付けられるカウルサイドトリムと、車両の乗降口の下縁部に位置するようにして車室床面上に取り付けられるスカッフプレートとの合わせ部の構造であって、前記スカッフプレートの車両前方側の先端縁は、前記カウルサ
イドトリムの車両後方側下部の後端縁よりも高い高さに設定されているとともに、前記カウルサイドトリムの後端縁にオーバラップしないように前記カウルサイドトリムの後端縁に対して車両後方に離間して接近した配置に設定されており、前記スカッフプレートの先端縁近傍部分には、この先端縁近傍部分と車室床面との間に形成される隙間を塞ぐように下向きに突出するリブが突設されていることを特徴としている。
【０００９】
このような構成によれば、次のような効果が得られる。
第１に、スカッフプレートの先端縁は、カウルサイドトリムの後端縁よりも高い高さとされた上で、カウルサイドトリムの後端縁に接近している。また、スカッフプレートの先端縁近傍からは、下向きにリブが突出しているために、スカッフプレートとカウルサイドトリムとの合わせ部において、スカッフプレートの下方に大きな隙間が形成されて、この隙間が外観上目立つようなこともない。したがって、カウルサイドトリムとスカッフプレートとの合わせ部については、見栄えのよい状態に設定することができる。
第２に、スカッフプレートの先端縁とカウルサイドトリムの後端縁とは、オーバラップしていないために、スカッフプレートとカウルサイドトリムとの一部分どうしを係合させていた特許文献１とは異なり、スカッフプレートおよびカウルサイドトリムがそれぞれ取り付けられる車体構成部材に多少の組み付け誤差が生じている場合であっても、スカッフプレートとカウルサイドトリムとを所定の状態に継ぎ合わせることが困難になるといった不具合は適切に回避される。したがって、車両の生産性を高めることができる。また、スカッフプレートとカウルサイドトリムとの組み付け順序も問わないものとなり、車両の組立製造作業に融通性をもたせることもできる。
第３に、スカッフプレートに設けられたリブは、スカッフプレートの下方に砂などが進入することを防止する機能を発揮する。したがって、スカッフプレートの下方に多くの砂が進入して堆積するといった不具合も適切に防止することが可能である。
【００１０】
本発明のその他の特徴および利点は、添付図面を参照して以下に行なう発明の実施の形態の説明から、より明らかになるであろう。
【図面の簡単な説明】
【００１１】
【図１】本発明に係るカウルサイドトリムとスカッフプレートとの合わせ部の構造の一例を示し、（ａ）は、一部断面要部斜視図であり、（ｂ）は、（ａ）のIb−Ib断面図であり、（ｃ）は、（ａ）のIc−Ic断面図である。
【発明を実施するための形態】
【００１２】
以下、本発明の好ましい実施の形態について、図面を参照して具体的に説明する。
図中、矢印Ｆｒは車両前方を示し、矢印Ｕｐは上方を示し、矢印Ｏｕは車幅方向外方を示している。
【００１３】
図１（ａ）に示す構造は、バン型車の運転席右横の乗降口９の下部周辺を示しており（車内側からの要部斜視図）、カウルサイドトリム１と、スカッフプレート２とを具備している。カウルサイドトリム１およびスカッフプレート２は、ともに樹脂製である。
【００１４】
カウルサイドトリム１は、フロントフェンダエプロン３の車室内側に固定して取り付けられている。このカウルサイドトリム１の取付け手段としては、後述するクリップピン８０を用いる手段と同様な手段が用いられる。ただし、これに限定されず、たとえばボルト止めなどの手段を用いることも可能である。カウルサイドトリム１のうち、車幅方向外方寄りの領域１０は、車両の乗降口９の前縁部の下部を構成する領域であり、上下高さ方向に延びている。前記の領域１０の後端縁１０ａ（本実施形態では、領域１０の下端縁にも相当）は、本発明でいう「カウルサイドトリムの車両方向側下部の後端縁」の一例に相当する。車室の床面４は、フロントフロアパネル４０上にカーペット４１が敷かれた構成で
あり、図１（ｂ）に示すように、カウルサイドトリム１の後端縁１０ａは、カーペット４１の上面と略同一高さに設定されている。カウルサイドトリム１の前記した領域１０は、後端縁１０ａから上方または斜め上方に向けて起立した起立壁となっている。
【００１５】
スカッフプレート２は、乗降口９の下縁部に位置するようにして車室床面４上に取り付けられる本体部２ａの車両後方側に、補助部２ｂが一体成形された構成を有している。補助部２ｂは、センタピラーパネル５の下部の車室内側に固定して取り付けられる部分であり、乗降口９の後縁部の一部を構成する。ただし、本発明でいうスカッフプレートは、本実施形態とは異なり、その後部側をセンタピラーパネル５に取り付けるように構成されていなくてもよく、補助部２ｂを有しない形態に構成されていてもよい。
【００１６】
スカッフプレート２の本体部２ａは、図１（ｃ）に示すように、略平板状の上板部２０の車幅方向両側縁に下向きの２つの起立壁２１，２２が連設された形態を有している。これらのうち、車幅方向内側の起立壁２１は、カーペット４１に下端部側が一部埋もれた状態とされ、上板部２０とカーペット４１との間に不当な隙間が開口状態で発生しないように設定されている。車幅方向外側の起立壁２２は、フロントフロアパネル４０の車幅方向外側領域を覆うように設定されている。本実施形態では設けられていないが、起立壁２２には、特許文献１と同様にステップカバー部をさらに連設した構成とすることも可能である。
【００１７】
図１（ｂ）に示すように、スカッフプレート２の本体部２ａは、クリップピン８０を用いてフロントフロアパネル４０に取付けられている。クリップピン８０自体は、従来既知であり、その詳細な説明は省略するが、上板部２０には、クリップピン８０を保持するブラケット部２３が複数箇所設けられ（ただし、図面では、クリップピン８０やブラケット部２３が１箇所のみ示されており、この点は、後述する支持突起２４についても同様）、このクリップピン８０をフロントフロアパネル４０に設けられた孔部に抜け止め状態に差し込むことによって本体部２ａの固定が図られている。センタピラーパネル５に対する補助部２ｂの取り付け手段としても、クリップピン８０と同様な部材が適宜用いられている。上板部２０の下面部には、下向きに突出する支持突起２４が複数箇所設けられており、かつこの支持突起２４の下面がフロントフロアパネル４０の上面に当接していることにより、フロントフロアパネル４０上における上板部２０の高さ設定が図られている。図１（ｃ）に示すように、上板部２０の下面側には、車両前後方向に延びる複数の補強リブ２５ａや、車幅方向に延びる複数の補強リブ２５ｂが適宜設けられ、本体部２ａの補強が図られている。
【００１８】
図１（ｂ）によく表われているように、カウルサイドトリム１の後端縁１０ａと、スカッフプレート２の車両前方側の先端縁２０ａとの合わせ部Ｃは、次のような構造となっている。
すなわち、まずスカッフプレート２の先端縁２０ａの上面は、カウルサイドトリム１の後端縁１０ａよりも適当な寸法Ｈ１だけ高い高さとされている。加えて、先端縁２０ａは、後端縁１０ａとはオーバラップしないように、後端縁１０ａに対して比較的小さい寸法Ｌ１（たとえば、数ｍｍ程度）だけ車両後方に離間して接近した配置とされている。さらに、スカッフプレート２の先端縁２０ａの近傍部分には、この部分から下向きに突出するリブ２６が突設されている。このリブ２６は、先端縁２０ａとカーペット４１との間に形成される隙間の全体を塞ぎ、砂などが上板部２０の下方に進入することを防止するためのものであり、このリブ２６の下端側の一部はカーペット４１内に埋もれた状態とされる。このリブ２６の車幅方向両側は、図１（ｃ）で示した起立壁２１，２２の先端部分と繋がっている。
【００１９】
次に、前記した構造の作用について説明する。
【００２０】
まず、スカッフプレート２の先端縁２０ａは、カウルサイドトリム１の後端縁１０ａよりも高い高さとされた上で、カウルサイドトリム１の後端縁１０ａに接近しており、それら両者の合わせ部Ｃに大きな隙間はない。スカッフプレート２の先端縁２０ａの近傍からは、下向きにリブ２６が突出しているために、スカッフプレート２とカウルサイドトリム１との合わせ部Ｃにおいて、スカッフプレート２の下方に不体裁な大きい隙間が形成されて、これが外部（乗員視線も含む）に目立つといったこともない。したがって、カウルサイドトリム１とスカッフプレート２との合わせ部Ｃを見栄えのよい状態に仕上げることが可能である。
【００２１】
スカッフプレート２の先端縁２０ａとカウルサイドトリム１の後端縁１０ａとは、互いにオーバラップしていないために、スカッフプレート２やカウルサイドトリム１が取り付けられるフロントフロアパネル４０やフロントフェンダエプロン３に多少の組み付け誤差が生じている場合であっても、スカッフプレート２とカウルサイドトリム１とが不当に干渉しあって、これらを所定の状態に合わせることが困難になるといったことも適切に回避される。したがって、歩留りをよくし、生産性を高めることができる。また、スカッフプレート２とカウルサイドトリム１との組み付け順序も問わないものとなり、車両の組立製造作業に融通性をもたせることもできる。
【００２２】
その他、スカッフプレート２に設けられたリブ２６は、合わせ部Ｃからスカッフプレート２の下側に砂などが進入することを適切に防止する役割を発揮することとなり、いわゆる砂入りの不具合も適切に防止することが可能である。
【００２３】
本発明は、上述した実施形態の内容に限定されない。本発明に係るカウルサイドトリムとスカッフプレートとの合わせ部の構造の各部の具体的な構成は、本発明の意図する範囲内において種々に設計変更自在である。
【００２４】
図１（ｂ）に示した構造では、リブ２６がスカッフプレート２の先端縁２０ａから車両後方側に位置ずれした箇所に突設されているが、本発明はこれに限定されない。たとえば、先端縁２０ａの真下にリブ２６が設けられた形態とされていてもよく、リブ２６は、先端縁２０ａまたはその近傍部分のいずれかの位置から下向きに突設されていればよい。また、リブ２６に、たとえば切り込みなどの脆弱部を設けておき、この脆弱部においてリブ２６を切断することによってリブ２６の全体の高さを微調整するといったことが可能な構成とすることもできる。
【符号の説明】
【００２５】
Ｃ  合わせ部（カウルサイドトリムとスカッフプレートとの）
１  カウルサイドトリム
２  スカッフプレート
３  フロントフェンダエプロン
４  車室床面
９  乗降口
１０ａ  後端縁（カウルサイドトリムの）
２０ａ  先端縁（スカッフプレートの）
２６  リブ
４０  フロントフロアパネル
【図１】
2014118037.tif 000003